(57)【要約】【課題】筐体に設けられて、スタンドの機能を有しつつ、表示部とは反対側の他面の全面にわたって一体性を持たせることが可能なカバー及び携帯情報端末を提供することを目的とする。【解決手段】カバー４は、一面側に表示部が設けられたタブレット端末１の筐体２において、一面側とは反対側の他面側に設置される平板材であって、筐体２と接しているとき、他面の一部を覆い、筐体２に対して回動可能な可動板５と、筐体２の他面側に固定される面状の固定板６と、固定板６及び可動板５と接続され、可動板５を固定板６に支持させるヒンジ７と、可動板５、固定板６及びヒンジ７よりも表面側に設けられ、他面の全面にわたって隙間のない平滑な表面を有する表面部材８とを備える。【選択図】図２２
2018136908.tif 000002
【特許請求の範囲】
【請求項１】
一面側に表示部が設けられた携帯情報端末の筐体において、前記一面側とは反対側の他面側に設置される平板材であって、前記筐体と接しているとき、前記他面の一部を覆い、前記筐体に対して回動可能な可動部と、
前記筐体の前記他面側に固定される面状の固定部と、
前記固定部及び前記可動部と接続され、前記可動部を前記固定部に支持させるヒンジ部と、
前記可動部、前記固定部及び前記ヒンジ部よりも表面側に設けられ、前記他面の全面にわたって隙間のない平滑な表面を有する表面部材と、
を備えるカバー。
【請求項２】
一面側に表示部が設けられた携帯情報端末の筐体において、前記一面側とは反対側の他面側に設置される平板材であって、前記筐体と接しているとき、前記他面の一部を覆い、前記筐体に対して回動可能な可動部と、
前記筐体及び前記可動部と接続され、前記可動部を前記筐体に支持させるヒンジ部と、
前記可動部及び前記ヒンジ部よりも表面側に設けられ、前記他面の全面にわたって隙間のない平滑な表面を有する表面部材と、
を備えるカバー。
【請求項３】
前記表面部材は、伸縮性を有する材料である請求項１又は２に記載のカバー。
【請求項４】
前記ヒンジ部は、互いに平行に配置された複数本の回動軸を有する多軸ヒンジである請求項１から３のいずれか１項に記載のカバー。
【請求項５】
前記表面部材は、表面側に設けられ、エラストマー材料とされたエラストマー層と、裏面側に設けられ、金属材料とされた金属層と、を備えている請求項１から４のいずれか１項に記載のカバー。
【請求項６】
一面側に設けられた表示部と、
前記一面側とは反対側の他面側に設けられた請求項１から５のいずれか１項に記載のカバーと、
を備える携帯情報端末。
【発明の詳細な説明】
【技術分野】
【０００１】
本発明は、カバー及び携帯情報端末に関するものである。
【背景技術】
【０００２】
タブレット端末（タブレットコンピュータ）等の携帯情報端末は、ＣＰＵやメモリ等の回路基板が内蔵された筐体にタッチパネルが設けられて、ユーザーが画面上に触れることで端末への入力が可能である。タブレット端末の使用方法として、ユーザーが手で持ちながら、ディスプレイの表示内容を見たり、入力したりすることもあるが、スタンドを利用して、机やテーブルなどの載置面に立てられた状態で使用されることもある。
【０００３】
下記の特許文献１では、電子機器に搭載された機器への磁力の影響をなくし、電子機器の起立姿勢での安定性を向上させる技術が開示されている。
【先行技術文献】
【特許文献】
【０００４】
【特許文献１】特開２０１６−２０１０６２号公報
【発明の概要】
【発明が解決しようとする課題】
【０００５】
タブレット端末を載置面に立てるためのスタンドには、端末の筐体の背面に常に取り付けられており、ヒンジを介して開閉可能な構成を有するものがある。ユーザーがタブレット端末を手で持っているとき、スタンドは筐体側へ閉じられ、タブレット端末が机等の載置面に立てられるとき、スタンドは、筐体から離れた位置に開かれる。スタンドの形状は、例えば、平板状であって、筐体の背面のほぼ下半分を占めるものや、コの字形状を有し、平行な２本の垂直材と、２本の垂直材の下端部に接続される１本の水平材から構成されるものなどがある。いずれの場合も、スタンドは、筐体の高さ方向中央部分付近で、筐体の背面と接続される。
【０００６】
上述した従来のスタンドは、筐体の背面に常に取り付けられているが、筐体とは別部材であるため、スタンドを閉じた状態でも、タブレット端末の背面側には、筐体とスタンド端部との間の境界部分に線状に隙間が形成されている。そのため、回動部分に塵埃が入り込む可能性がある。また、筐体とスタンドが別部材であるため、スタンドを閉じた状態で、背面側において段差がなく面一となるように製造することが困難である。さらに、スタンドが取り付けられていないタブレット端末に比べて、背面側の見た目に一体性がなく、洗練されたデザインとすることができない。
【０００７】
本発明は、このような事情に鑑みてなされたものであって、筐体に設けられて、スタンドの機能を有しつつ、表示部とは反対側の他面の全面にわたって一体性を持たせることが可能なカバー及び携帯情報端末を提供することを目的とする。
【課題を解決するための手段】
【０００８】
本発明の第１態様に係るカバーは、一面側に表示部が設けられた携帯情報端末の筐体において、前記一面側とは反対側の他面側に設置される平板材であって、前記筐体と接しているとき、前記他面の一部を覆い、前記筐体に対して回動可能な可動部と、前記筐体の前記他面側に固定される面状の固定部と、前記固定部及び前記可動部と接続され、前記可動部を前記固定部に支持させるヒンジ部と、前記可動部、前記固定部及び前記ヒンジ部よりも表面側に設けられ、前記他面の全面にわたって隙間のない平滑な表面を有する表面部材とを備える。
【０００９】
本発明の第２態様に係るカバーは、一面側に表示部が設けられた携帯情報端末の筐体において、前記一面側とは反対側の他面側に設置される平板材であって、前記筐体と接しているとき、前記他面の一部を覆い、前記筐体に対して回動可能な可動部と、前記筐体及び前記可動部と接続され、前記可動部を前記筐体に支持させるヒンジ部と、前記可動部及び前記ヒンジ部よりも表面側に設けられ、前記他面の全面にわたって隙間のない平滑な表面を有する表面部材とを備える。
【００１０】
本発明の第３態様に係る携帯情報端末は、一面側に設けられた表示部と、前記一面側とは反対側の他面側に設けられた上記第１態様又は第２態様のカバーとを備える。
【発明の効果】
【００１１】
本発明によれば、筐体に設けられて、スタンドの機能を有しつつ、表示部とは反対側の他面の全面にわたって一体性を持たせることができる。
【図面の簡単な説明】
【００１２】
【図１】本発明の一実施形態に係るタブレット端末を示す正面図である。
【図２】本発明の一実施形態に係るタブレット端末を示す背面図である。
【図３】本発明の一実施形態に係るタブレット端末を示す平面図である。
【図４】本発明の一実施形態に係るタブレット端末を示す底面図である。
【図５】本発明の一実施形態に係るタブレット端末を示す右側面図である。
【図６】本発明の一実施形態に係るタブレット端末を示す左側面図である。
【図７】本発明の一実施形態に係るタブレット端末を正面から見た斜視図であり、カバーを閉じた状態を示している。
【図８】本発明の一実施形態に係るタブレット端末を背面から見た斜視図であり、カバーを閉じた状態を示している。
【図９】本発明の一実施形態に係るタブレット端末を正面から見た斜視図であり、カバーを開いた状態を示している。
【図１０】本発明の一実施形態に係るタブレット端末を背面から見た斜視図であり、カバーを開いた状態を示している。
【図１１】本発明の一実施形態に係るタブレット端末を示す背面図であり、カバーを薄墨を施して示している。
【図１２】本発明の一実施形態に係るタブレット端末を示す平面図であり、カバーを薄墨を施して示している。
【図１３】本発明の一実施形態に係るタブレット端末を示す底面図であり、カバーを薄墨を施して示している。
【図１４】本発明の一実施形態に係るタブレット端末を示す右側面図であり、カバーを薄墨を施して示している。
【図１５】本発明の一実施形態に係るタブレット端末を示す左側面図であり、カバーを薄墨を施して示している。
【図１６】本発明の一実施形態に係るタブレット端末を正面から見た斜視図であり、カバーを閉じた状態を示しており、カバーを薄墨を施して示している。
【図１７】本発明の一実施形態に係るタブレット端末を背面から見た斜視図であり、カバーを閉じた状態を示しており、カバーを薄墨を施して示している。
【図１８】本発明の一実施形態に係るタブレット端末を正面から見た斜視図であり、カバーを開いた状態を示しており、カバーを薄墨を施して示している。
【図１９】本発明の一実施形態に係るタブレット端末を背面から見た斜視図であり、カバーを開いた状態を示しており、カバーを薄墨を施して示している。
【図２０】本発明の一実施形態に係るタブレット端末を示す縦断面図であり、カバーを閉じた状態を示している。
【図２１】本発明の一実施形態に係るタブレット端末を示す背面図であり、表面部材が取り外された状態の可動板及び固定板を示している。
【図２２】本発明の一実施形態に係るタブレット端末を示す縦断面図であり、カバーを開いた状態を示している。
【図２３】本発明の一実施形態に係るタブレット端末に適用されるヒンジの一例を示す側面図である。
【図２４】本発明の一実施形態に係るタブレット端末に適用されるヒンジの一例を示す側面図である。
【図２５】本発明の一実施形態に係るタブレット端末の変形例を示す縦断面図であり、カバーを閉じた状態を示している。
【図２６】本発明の一実施形態に係るタブレット端末の変形例を示す縦断面図であり、カバーを開いた状態を示している。
【図２７】本発明の一実施形態に係るタブレット端末を示した断面図である。
【発明を実施するための形態】
【００１３】
以下、本発明の一実施形態に係るタブレット端末１について、図面を用いて説明する。
タブレット端末１は、携帯情報端末の一例であり、図１〜図１０に示すように、パネル状の筐体２を備え、筐体２にディスプレイモジュール３が設けられる。筐体２には、内部にＣＰＵ及びメモリ等を搭載した回路基板や、バッテリー等の電源部などが収容される。タブレット端末１は、上述したＣＰＵ等によって実現される制御部を備える。
【００１４】
筐体２の一面側に設けられるディスプレイモジュール３は、例えば、液晶ディスプレイを備えて、液晶ディスプレイによって画像を表示する。なお、画像を表示するディスプレイモジュール３は、液晶ディスプレイを備える場合に限定されず、有機ＥＬディスプレイ等でもよい。ディスプレイモジュール３は、タッチパネルを備え、表示面上で触れられた指等の外部からの接触を検出して、入力を行うことができる。
【００１５】
タブレット端末１の筐体２において、ディスプレイモジュール３が設けられた筐体２の一面（正面）側とは反対側の他面（背面）側に、カバー４が設置される。カバー４は、図１１〜図１９に示すように、筐体２の背面側の全面を覆うように設けられる。図１１〜図１９では、カバー４について薄墨を施して示している。
【００１６】
カバー４は、図２０〜図２２に示すように、例えば、開かれた状態でスタンドの機能を有する可動板５と、筐体２に取り付けられる固定板６と、可動板５及び固定板６と接続されるヒンジ７と、平滑な表面を有する表面部材８などを備える。なお、可動板５、固定板６、ヒンジ７は、それぞれ可動部、固定部、ヒンジ部の一例である。
【００１７】
図２１に示すように、可動板５と固定板６は、それぞれ例えば１枚ずつの金属製の平板状部材である。可動板５と固定板６は、長方形状を有しており、互いに隣接して配置される。可動板５と固定板６を合わせた形状は、筐体２の背面とほぼ同一である。
【００１８】
可動板５と固定板６の隣接する位置は、筐体２の短辺方向中央部分付近に位置する。可動板５の長辺と固定板６の長辺は、筐体２の長辺とほぼ同一長さであり、可動板５の外側の長辺と、固定板６の外側の長辺は、筐体２の長辺の端部に沿って設けられる。
【００１９】
可動板５は、筐体２の短辺の約半分又は半分以下の長さであり、固定板６の短辺は、可動板５の短辺と合わせて、筐体２の短辺の長さとなる長さである。可動板５の対向する二つの短辺と、固定板６の対向する二つの短辺は、筐体２の短辺に沿って設けられる。
【００２０】
図２０及び図２２に示すように、可動板５は、ヒンジ７によって筐体２に対して開閉するように回動可能である。可動板５は、固定板６と隣接する長辺の端部近傍を中心にして回動する。可動板５は、図２０に示すように、筐体２と接しているとき、すなわち、閉じた状態で、筐体２の背面の一部を覆う。図７及び図８には、カバー４が閉じられた状態のタブレット端末１の斜視図を示す。
図２２に示すように、可動板５は、筐体２から離れたとき、すなわち、開いた状態で、タブレット端末１を支持するスタンド（脚部）として使用可能である。図９及び図１０には、カバー４が開いた状態のタブレット端末１の斜視図を示す。
【００２１】
固定板６は、筐体２の背面側に固定される。固定板６と筐体２とは、例えばねじ止め、又は、接着によって互いに固定される。
【００２２】
図２０及び図２２に示すように、ヒンジ７は、一側が可動板５と接続され、他側が固定板６と接続される。ヒンジ７によって、可動板５は固定板６に支持される。固定板６が筐体２に固定されていることから、可動板５は、ヒンジ７及び固定板６を介して筐体２に支持される。
【００２３】
ヒンジ７は、回動軸が１本であってもよいし、図２３及び図２４に示すように、複数本の回動軸１０Ａ，１０Ｂ，１０Ｃが平行に設けられる多軸ヒンジであってもよい。回動軸が１本であるヒンジを用いた場合、可動板５を回動させたとき、固定板６から可動板５の距離が短いことから、折れ曲がり部分の曲率半径が小さく、表面部材８が急に折れた状態となりやすい。一方、ヒンジ７として、図２３及び図２４に示すような多軸ヒンジを用いた場合、可動板５を回動させたとき、固定板６から可動板５を離すことができ、回動軸が１本であるヒンジを用いた場合と比べて、表面部材８を緩やかに湾曲させることができる（図２２参照）。これにより、可動板５の開閉が繰り返されたとしても、表面部材８が塑性変形しづらく、折れ筋等が生じるおそれが低減される。
【００２４】
多軸ヒンジとしてのヒンジ７は、例えば、接続部９Ａ，９Ｂと、回動軸１０Ａ，１０Ｂ，１０Ｃと、連結板１１Ａ，１１Ｂなどを備える。接続部９Ａは、例えば固定板６に接続され、接続部９Ｂは、例えば可動板５に接続される。回動軸１０Ａは、接続部９Ａと連結板１１Ａに貫通して設けられており、回動軸１０Ｂは、連結板１１Ａと連結板１１Ｂに貫通して設けられており、回動軸１０Ｃは、連結板１１Ｂと接続部９Ｂに貫通して設けられている。接続部９Ｂと連結板１１Ａは、図２３及び図２４に示すように、側端面に形成された歯車１２，１３によって互いに噛み合っている。接続部９Ａと連結板１１Ｂも、図示しないが、接続部９Ｂと連結板１１Ａの関係と同様に、側端面に形成された歯車によって互いに噛み合っている。
【００２５】
固定板６に対して可動板５を回動させると、回動軸１０Ａを中心にして接続部９Ａと連結板１１Ａが相対的に回動し、回動軸１０Ｂを中心にして連結板１１Ａと連結板１１Ｂが相対的に回動し、回動軸１０Ｃを中心にして連結板１１Ｂと接続部９Ｂが相対的に回動する。これにより、図２２に示すように、可動板５と固定板６の間における表面部材８の折れ曲がり部分が緩やかな湾曲形状となる。
【００２６】
図２０及び図２２に示すように、表面部材８は、可動板５、固定板６及びヒンジ７よりも表面側に設けられ、図１〜図１９に示すように、筐体２の背面の全面にわたって隙間のない平滑な表面を有する。表面部材８は、例えば、合成樹脂製、ゴム製、皮革製、布製などである。表面部材８は、可動板５と固定板６を覆うように設けられ、可動板５と固定板６に対して接着剤によって接合される。
【００２７】
表面部材８によって、可動板５と固定板６との間の境界部分に形成される隙間が塞がれ、回動部分に塵埃が入り込みにくくなる。表面部材８は、一定の厚みを有することで、可動板５と固定板６の段差を吸収することができ、筐体２の背面側に段差がなく面一となるように製造できる。これにより、可動板５を開かずに、筐体２の背面を机等の載置面に載せたとき、タブレット端末１を安定して載置できる。
【００２８】
また、例えば図２及び図８に示すように、スタンドが取り付けられていないタブレット端末と同様に、筐体２の背面側の見た目に一体性を生じさせ、洗練されたデザインとすることができる。さらに、表面部材８を滑りにくい材質としたり、表面部材８に滑りにくい表面処理が施されることによって、筐体２の背面を机等の載置面に載せたとき、タブレット端末１が載置面上で滑ることを防止できる。
【００２９】
表面部材８は、伸縮性を有する材料であることが好ましい。これにより、表面部材８は、可動板５の動きに追従して伸縮可能である。例えば、表面部材８は、図２０に示すように、可動板５を筐体２から離して開いたとき収縮し、図２２に示すように、可動板５を筐体２に接触させたとき伸張する。表面部材８において伸縮性がない場合、可動板５を筐体２から離して開いたときに、表面部材８が収縮できずに皺が生じやすいが、表面部材８が伸縮性を有するによって皺が生じにくくなる。
【００３０】
表面部材８は、図２０及び図２２に示すように、端部において、可動板５や固定板６の側端部も覆うように取り付けられてもよい。例えば、表面部材８の端部付近では、表面部材８は、Ｒ面が形成される。これにより、表面部材８が可動板５や固定板６から剥がれにくくなり、また、タブレット端末１の側端面と他の面との接触における滑りに対しても、滑り防止機能を発揮させることができる。
【００３１】
上述したカバー４を製造する際、まず、可動板５、固定板６、ヒンジ７及び表面部材８を組み合わせることによって、一つの組立体（アッセンブリ）とする。そして、一つの組立体としてのカバー４を製造した後、カバー４の固定板６を筐体２に取り付ける。したがって、カバー４を組立体として扱うことができることから、タブレット端末１のスタンド機能を有する背面側部材を容易に形成、組み立てることができる。
【００３２】
なお、本発明は、カバー４が固定板６を必ずしも備えなくてもよく、図２５及び図２６に示すように、ヒンジ７の一側が筐体２’に直接固定され、可動板５がヒンジ７を介して筐体２’に支持されてもよい。この場合、筐体２’の背面側は、図２０及び図２２に示した固定板６の代替となる形状を有する。図２５に示すように、筐体２’は、可動板５を閉じたとき、筐体２’の背面と可動板５とが段差がなく面一となるように形成される。そして、表面部材８は、筐体２’、可動板５及びヒンジ７よりも表面側に設けられ、筐体２’の背面側の全面にわたって隙間のない平滑な表面を有する。表面部材８は、可動板５と筐体２’を覆うように設けられる。この場合も、表面部材８によって、可動板５と筐体２’との間の境界部分に形成される隙間が塞がれ、回動部分に塵埃が入り込みにくくなる。
【００３３】
この変形例では、筐体２’の背面に対して可動板５及びヒンジ７を取り付けた後、筐体２’の背面及び可動板５に対して表面部材８を接着剤等によって接合することによって、タブレット端末１のスタンド機能を有する背面側部材が形成、組み立てられる。
【００３４】
以上、本実施形態によれば、タブレット端末１のスタンド機能を有する背面側部材について、スタンドのないタブレット端末のような一体性のある外観デザインとすることができる。また、筐体２と可動板５の間の隙間が表面部材８によって塞がれていることから、可動部分に対して塵埃が侵入しづらく、可動板５の回動が妨げられにくくなる。
【００３５】
図２７には、タブレット端末１の断面の一例が示されおり、表面部材８が複数層から構成されていることが示されている。同図に示すように、表面部材８は、シリコンゴム（エラストマー材料）とされたエラストマー層８ａと、ステンレス（金属）とされた金属層８ｂとから構成されている。エラストマー層８ａは、表面部材８の外形状を構成する板状体とされている。エラストマー層８ａは、金属層８ｂの表面側（同図において上側）の全体を覆うように設けられている。エラストマー層８ａは、金属層８ｂ、可動板５及び固定板６の周囲の端部をも覆うように設けられている。なお、同図では、図２０等で示したヒンジ７は省略している。
【００３６】
エラストマー層８ａの厚さは、例えば、２００μｍ以上３００μｍ以下とされている。金属層８ｂの厚さは、例えば、３０μｍ以上５０μｍ以下とされている。
【００３７】
このように、金属層８ｂを採用することで、可動板５を固定板６に対して回動させる際に、折曲げ部８ｃに生じる曲げに対して強度を持たせることができる。これにより、金属層８ｂを覆うエラストマー層８ａの厚さを薄くすることができ、表面部材８を曲げた際にエラストマー層８ａの表面に生じるシワを可及的に少なくする（好ましくは無くす）ことができる。
なお、エラストマー層８ａの材料としては、シリコンゴムに代えて、他のエラストマー材料を用いることとしても良い。金属層８ｂの材料としては、ステンレスに代えて、他の金属材料を用いることとしても良い。
また、金属層８ｂは、表面部材８の全体に設けることとしたが、少なくとも折曲げ部８ｃを含む領域に設けられていれば部分的に設けても良い。
【符号の説明】
【００３８】
１  ：タブレット端末
２，２’  ：筐体
３  ：ディスプレイモジュール
４  ：カバー
５  ：可動板
６  ：固定板
７  ：ヒンジ
８  ：表面部材
８ａ：エラストマー層
８ｂ：金属層
８ｃ：折曲げ部
９Ａ，９Ｂ    ：接続部
１０Ａ，１０Ｂ，１０Ｃ  ：回動軸
１１Ａ，１１Ｂ  ：連結板
１２，１３    ：歯車
【図１】
2018136908.tif 000003
【図２】
2018136908.tif 000004
【図３】
2018136908.tif 000005
【図４】
2018136908.tif 000006
【図５】
2018136908.tif 000007
【図６】
2018136908.tif 000008
【図７】
2018136908.tif 000009
【図８】
2018136908.tif 000010
【図９】
2018136908.tif 000011
【図１０】
2018136908.tif 000012
【図１１】
2018136908.tif 000013
【図１２】
2018136908.tif 000014
【図１３】
2018136908.tif 000015
【図１４】
2018136908.tif 000016
【図１５】
2018136908.tif 000017
【図１６】
2018136908.tif 000018
【図１７】
2018136908.tif 000019
【図１８】
2018136908.tif 000020
【図１９】
2018136908.tif 000021
【図２０】
2018136908.tif 000022
【図２１】
2018136908.tif 000023
【図２２】
2018136908.tif 000024
【図２３】
2018136908.tif 000025
【図２４】
2018136908.tif 000026
【図２５】
2018136908.tif 000027
【図２６】
2018136908.tif 000028
【図２７】
2018136908.tif 000029